(57)【特許請求の範囲】
【請求項１】
遊技機の制御を行う基板を収納した基板ケースを備える遊技機であって、
前記基板ケースが、
蓋ケースと本体ケースとの間に所定のプリント基板を挟んで収納し、前記蓋ケースと本体ケースとがヒンジを介して回転開閉するとともに、当該蓋ケースと本体ケースを開封不能に封止するかしめ構造を備え、
前記ヒンジ部が、前記基板ケースの一側に設けられるとともに、前記かしめ構造が、前記ヒンジ部と対向する前記基板ケースの他側に設けられ、
前記かしめ構造は、同一構造のかしめピンにより封止が可能な封止用及び再封止用の複数のかしめ構造を備え、
前記封止用のかしめ構造に対して前記かしめピンが前記蓋ケース上面と平行方向に係止されることにより、前記蓋ケースと本体ケースとが回転開閉不能に封止されるとともに、前記本体ケースが切断又は破壊されることなく前記蓋ケースの前記かしめ構造の所定の箇所が切断又は破壊されることにより、前記蓋ケースから前記かしめピンが係止されている前記蓋ケース側の一部が離間して、前記封止が解除されて当該蓋ケースと本体ケースとが回転開閉可能となり、
前記蓋ケースと本体ケースが開封されることにより、前記かしめピンが、係止された前記かしめ構造から破壊されることなく取外し可能となり、
当該かしめピンが前記再封止用のかしめ構造に係止されることで、前記蓋ケースと本体ケースが再度開封不能に封止されるとともに、当該再封止が行われるまでは、前記再封止用のかしめ構造には他のかしめピンが挿入されない
ことを特徴とする基板ケースを備えた遊技機。
【請求項２】
遊技機の制御を行う基板を収納した基板ケースを備える遊技機であって、
前記基板ケースが、
蓋ケースと本体ケースとの間に所定のプリント基板を挟んで収納し、前記蓋ケースと本体ケースとがヒンジを介して回転開閉するとともに、当該蓋ケースと本体ケースを開封不能に封止するかしめ構造を備え、
前記ヒンジ部が、前記基板ケースの一側に設けられるとともに、前記かしめ構造が、前記ヒンジ部と対向する前記基板ケースの他側に設けられ、
前記かしめ構造は、同一構造のかしめ部材により封止が可能な封止用及び再封止用の複数のかしめ構造を備え、
前記封止用のかしめ構造に前記かしめ部材が係止されることにより、前記蓋ケースと本体ケースとが回転開閉不能に封止され、
前記かしめ構造が他の箇所よりも肉厚が薄い肉薄部を有し、当該肉薄部が切断又は破壊され、その切断又は破壊された箇所から所定の解除操作が行われることにより、前記蓋ケースと前記本体ケースとが回転開閉可能となり、
当該かしめ部材が前記再封止用のかしめ構造に係止されることで、前記蓋ケースと本体ケースが再度開封不能に封止されるとともに、当該再封止が行われるまでは、前記再封止用のかしめ構造には他のかしめ部材が挿入されない
ことを特徴とする基板ケースを備えた遊技機。
【発明の詳細な説明】
【技術分野】
【０００１】
本発明は、所定のプリント基板か収容されている遊技機用基板ケースに関し、特に、基板ケースをかしめて開封不能にするときの封止力を増大させるとともに、封止に用いるかしめピンを再利用可能にした遊技機用の基板ケースと基板ケースの封止方法及び基板ケースを備えた遊技機に関する。
【背景技術】
【０００２】
一般に、スロットマシンやパチンコ機等の遊技機には、ゲーム性に関与する複数の基板が配設されている。
これらの基板には、遊技の結果を左右するとともに、遊技機全体を制御する主要な基板である主基板が含まれている。
主基板は、プリント基板上にＣＰＵ，ＲＯＭ，ＲＡＭ等の種々の電子部品が配置されたコンピュータとして構成されている。
このような遊技の結果を左右する主基板は、不正改造の対象となり易く、そのために、当該主基板を透明な二つのケースの間に挟んで収容するとともに、さらに、このケースを開封不能に封止している。
【０００３】
基板ケースを封止する構造は、かしめ構造と称され、一般的には、ケース同士を専用のかしめピン等で係止することで、開封不能としてある。
このようなケースのかしめ構造は、例えば、特開２００５−１９２７９２号の「遊技機用制御基板ケースの封印装置」（特許文献１）等、従来から多数提案されている。
【先行技術文献】
【特許文献】
【０００４】
【特許文献１】特開２００５−１９２７９２号公報（第２１頁、第１８図）
【発明の概要】
【発明が解決しようとする課題】
【０００５】
しかしながら、従来のかしめ構造では、以下のような弊害も生じていた。
特許文献１に記載のかしめ構造では、かしめピンは、複数の開口部に亘って挿通させて係止されているものの、基板ケースを開放させる外力に対しては、片持ち梁と同様な状態となり、自由端側に継続的な外力が加わることで、かしめピンが曲がり、脱落するおそれがあった。
【０００６】
また、通常かしめ構造は、ニッパー等の切断工具でケース同士を係止するかしめピンを切断・破壊することで、封止状態を解除するようになっている。
基板ケースは、主基板に対する不正改造を確認するなど合法的な目的で開封する場合もあるため、特許文献１に記載された発明のように、再封止するための予備のかしめピンを複数備えている。
しかしながら、この予備のかしめピンは、基板ケースに予めセットされているため、これを取り外して偽造される場合があった。偽造品が出回ると、再封止が容易にできてしまうことから、不正行為を誘発させるおそれがあった。
【０００７】
本発明は、以上のような問題を解決するために提案されたものであり、かしめピンが挿通される一方のケース側の開口部が他方のケース側の開口部を挟むように配置して、開放させる外力に対する封止力を増大させるとともに、かしめピンを切断・破壊することなく、かしめ構造を解除できるようにして、かしめピンを再利用させる遊技機用の基板ケースと基板ケースの封止方法及び基板ケースを備えた遊技機の提供を目的とする。
【課題を解決するための手段】
【０００８】
上記目的を達成するため、本発明の遊技機用の基板ケースは、蓋ケースと本体ケースとの間に所定のプリント基板を挟んで収容するとともに、開封不能に封止するかしめ構造を備える遊技機用基板ケースであって、前記かしめ構造は、前記各ケースに設けられ、前記プリント基板面とほぼ平行に開口されるとともに、ケース閉状態で所定のピン材が挿通可能に連通する開口部と、各開口部に挿通された前記ピン材を脱抜不能に係止させる係止部と、を備え、各ケースの前記開口部を、一方のケース側開口部が他方のケース側開口部を挟むように配置した構成としてある。
【発明の効果】
【０００９】
本発明の遊技機用基板ケースと基板ケースの封止方法及び基板ケースを備えた遊技機によれば、基板ケースをかしめて開封不能にするときの封止力を増大させるとともに、封止に用いるかしめピンを再利用させることで、かしめピンの偽造を防止できる。
【図面の簡単な説明】
【００１０】
【図１】本発明の一実施形態に係るスロットマシンの内部構成を示す概略斜視図である。
【図２】本発明の一実施形態に係る遊技機用基板ケースの開放した状態を示す概略斜視図である。
【図３】本発明の一実施形態に係る遊技機用基板ケースの断面図であり、（ａ）は、閉じる直前の状態を示す図であり、（ｂ）は、ケース閉状態を示す図である。
【図４】本発明の一実施形態に係る遊技機用基板ケースのかしめピンを示す平面図である。
【図５】本発明の一実施形態に係る遊技機用基板ケースの概略斜視図であり、（ａ）は、かしめピン挿入前を示す図であり、（ｂ）は、かしめピン挿入後を示す図である。
【図６】本発明の一実施形態に係る遊技機用基板ケースの斜視図であり、開封不能に封止された状態を示す図である。
【図７】本発明の一実施形態に係る遊技機用基板ケースの蓋ケースにカバーを取り付ける組立図である。
【図８】本発明の一実施形態に係る遊技機用基板ケースのカバーを示す概略斜視図である。
【図９】本発明の一実施形態に係る遊技機用基板ケースの窓部と接合部を破壊する動作を示し、（ａ）は、窓部を破壊する前を示す説明図であり、（ｂ）は、窓部を破壊した後を示す説明図であり、（ｃ）は、接合部を切断した状態を示す説明図である。
【図１０】本発明の一実施形態に係る遊技機用基板ケースの蓋ケースと本体ケースを開放させる動作を示し、（ａ）は、分断した蓋かしめ部をスライドさせた状態を示す説明図であり、（ｂ）は、蓋ケースを開放するとともに、分断した蓋かしめ部をかしめピンごと取り出した状態を示す説明図である。
【発明を実施するための形態】
【００１１】
以下、本発明に係る遊技機用の基板ケースと基板ケースの封止方法及び基板ケースを備えた遊技機の好ましい実施形態について、各図を参照して説明する。
遊技機には、パチンコ機、スロットマシン、アレンジボール、雀球など様々な機類があるが、本実施形態では、メダルを遊技媒体とするスロットマシンに本発明の遊技機用基板ケースを適用した場合について説明する。
【００１２】
［スロットマシン］
図１に示すように、スロットマシン１００は、複数のリール１１０ａ，１１０ｂ，１００ｃを回転させることによって遊技媒体であるメダルを獲得することができる回胴式遊技機を構成している。
スロットマシン１００は、必要な機械、装置等を収納する正面側が開口した筐体１００ｂと、筐体１００ｂの正面側を開閉可能に覆う前扉１００ａとで構成されている。
前扉１００ａは、筐体１００ｂにヒンジ等を介して開閉可能に取り付けられる扉体で、この前扉１００ａに各リール１１０の回転を始動させるスタートレバーや、回転している各リール１１０を停止させる３つの停止ボタンなどの複数の操作手段が設けられて、スロットマシン１００の正面部を構成している。
【００１３】
筐体１００ｂの中央には、リール１１０ａ，１１０ｂ，１１０ｃと、各リール１１０を回転可能に支持する図示しないモータ及び回転位置を検出するセンサ等が設けられている。
また、筐体１００ｂの下部には、メダルの貯留・払出しを行うメダル払出装置１２０が設けられる。
筐体１００ｂの上部には、所定のプリント基板が収容された基板ケース１が設けられている。
【００１４】
基板ケース１は、本発明の遊技機用基板ケースの一例であり、上記の各操作手段からの信号に基づき、各リール１１０、メダル払出装置１２０などの各装置を制御することで、スロットマシン遊技の進行制御を行う、いわゆる主基板２が収容されている。
【００１５】
このような構成からなるスロットマシン１００は、主基板２により、以下のように制御されてスロットマシン遊技が進行する。
まず、遊技者によりメダルが投入され、スタートレバーが操作されると、主基板２は、各リール１１０を回転させる制御を行うとともに、ボーナスや小役等を抽せんする内部抽せんを行い、各停止ボタンが押下操作されたタイミングに基づき、抽せん結果に応じた図柄の組合せで停止するよう、回転している各リール１１０の停止制御を行う。
【００１６】
また、主基板２は、各リール１１０に停止表示される図柄の組合せを判定し、所定の図柄の組合せのときには、メダル払出装置１２０に対して所定数のメダルを払い出させる制御を行う。
【００１７】
このようなスロットマシン遊技の進行を制御する主基板２は、ＣＰＵ（中央演算処理装置）、ＲＯＭ及びＲＡＭなどの記憶手段、Ｉ／ＯインターフェイスなどのＩＣ部品、抵抗、コンデンサ、トランジスタなどの様々な電子部品が実装された部品実装面２ａと、これらの部品のリード部を半田接合する半田面２ｂとからなるプリント基板で構成されている（図２参照）。
主基板２は、例えば、ＲＯＭに記憶されているプログラムの内容を書替えたり、実装されている電子部品を異なる電子部品に取り替えたりすることで、スロットマシン１００における遊技特性（例えば、出玉率）を容易に変更できるため、不正改造がなされる可能性の高い基板とされている。
【００１８】
そこで、本実施形態の基板ケース１は、図２〜図６に示すように、主基板２を蓋ケース３と本体ケース４の間に挟んで収容するとともに、所定のかしめピン５を蓋ケース３と本体ケース４に係合させて開封不能に封止している。
そして、この基板ケース１は、かしめピン５を切断・破壊することなく封止解除でき、かしめピン５を再利用して再封止できるようにしてある。
以下、本実施形態の基板ケース１の構成について、図２〜図１０を参照しつつ説明する。
【００１９】
［基板ケース］
基板ケース１は、各図に示すように、矩形状のケース構造を有し、主基板２の部品実装面２ａ側を覆う蓋ケース３と、半田面２ｂ側を覆う本体ケース４を備えている。
本実施形態では、主基板２は蓋ケース３に所定のネジにより螺着されて収容されるようになっている（図２参照）。
蓋ケース３と本体ケース４は、部品実装面２ａと半田面２ｂを外部から視認可能、かつ、容易に破壊できないように、無色透明な工業用樹脂（例えば、ポリカーボネート）で形成されている。
また、基板ケース１は、蓋ケース３と本体ケース４とを開閉可能に支持するヒンジ１ａを備えている。このヒンジ１ａは、ケース閉状態において、蓋ケース３と本体ケース４とを軸止し、ヒンジ１ａ側からケースを開放することができないように構成してある。
なお、基板ケース１は、本体ケース４側が筐体１００ｂ奥に面するとともに、蓋ケース３側が筐体１００ｂの正面側開口を向くように、すなわち、部品実装面２ａが正面から見えるよう、筐体１００ｂに配置されている。
【００２０】
また、基板ケース１は、蓋ケース３と本体ケース４とを開封不能に封止するかしめ構造を備えている。
具体的には、かしめ構造は、図２〜図５に示すように、蓋ケース３と本体ケース４とに係合するかしめピン５と、蓋ケース３と本体ケース４の外縁から突出する蓋かしめ部３０と本体かしめ部４０とにそれぞれ設けられ、主基板２の基板面（部品実装面２ａ及び半田面２ｂ）とほぼ平行に開口されるとともに、ケース閉状態でかしめピン５が挿通可能に連通する開口部３１１，４１１，４１２と、蓋かしめ部３０に設けられ、各開口部３１１，４１１，４１２に挿通したかしめピン５が脱抜不能に係止される係止部３１ｂと、を備え、蓋ケース３と本体ケース４とを閉状態にして、かしめピン５を開口部４１２から挿入すると（図５（ａ）参照）、かしめピン５が各開口部３１１，４１１，４１２に亘って挿通されるとともに、脱抜不能に係止部３１ｂに係止され、蓋ケース３と本体ケース４とが開封不能に封止される（図５（ｂ）参照）。
以下、各部の構成を詳細に説明する。
【００２１】
蓋かしめ部３０と本体かしめ部４０は、図２に示すように、ヒンジ部１ａ対辺側に設けられた、各ケース３，４外縁から主基板２とほぼ平行に突出する部位であり、本実施形態では、左右に二つずつ、合計四つ設けてある。各かしめ部３０，４０にはそれぞれケース閉状態で重なる凸部３１と凹部４１を形成してある。
凸部３１は、図２及び図３（ａ）に示すように、本体ケース４に向かって垂下する部分で、この凸部３１には、主基板２の基板面とほぼ平行、かつ、かしめピン５が挿通可能に開口された開口部３１１と、かしめピン５が係止される係止部３１ｂとを形成してある。
【００２２】
凹部４１は、図２及び図３（ａ）に示すように、蓋ケース３に向かって開口した部分で、ケース閉状態で凸部３１が収容されるように凹設され、この凹部４１には、主基板２の基板面とほぼ平行、かつ、かしめピン５が挿通可能に開口された第一開口部４１１と第二開口部４１２を形成してある。
第一開口部４１１と第二開口部４１２は、それぞれ挿通されたかしめピン５の先端側と後端側に位置し、ケース閉状態において、凸部３１（開口部３１１）は、これらの間に位置するようになっている。
【００２３】
また、凹部４１には、図３（ｂ）に示すように、スペース４１ａを設けてある。スペース４１ａは、第一開口部４１１に挿入されるかしめピン５の先端部（後述の頭部５１）より長く形成され、このスペース４１ａにより、蓋ケース３から分断された蓋かしめ部３０を第二開口部４１２側にスライドさせることで、第一開口部４１１とかしめピン５との係合が解除されるようになっている（後述）。
そして、図３（ｂ）に示すように、ケース閉状態にすると、第一開口部４１１と第二開口部４１２とこれらに挟まれるように配置された開口部３１１とがそれぞれ連通し、かしめピン５を挿通することができるようになる。
また、このとき、凹部４１は、蓋かしめ部３０が蓋となって、外部から遮蔽される。
【００２４】
かしめピン５は、ピン材の一例であり、各開口部３１１，４１１，４１２に挿通されることで、蓋ケース３と本体ケース４とを開封不能に封止する閂（かんぬき）として機能する。
かしめピン５は、容易に破壊できない工業用樹脂（例えば、ポリカーボネート）で形成され、図４に示すように、第一開口部４１１と係合する頭部５１と、弾性をもって撓む爪部５２と、係止部３１ｂに係止される首部５３と、開口部３１１と第二開口部４１２に係合する胴部５４とで構成されている。
このように構成されたかしめピン５は、各開口部３１１，４１１，４１２に挿通されることで、以下のように、蓋ケース３と本体ケース４とを開封不能に封止する。
【００２５】
まず、図５（ａ）に示すように、蓋ケース３と本体ケース４を閉じてケース閉状態とし、各開口部３１１，４１１，４１２を連通させる。
そして、第二開口部４１２に頭部５１を挿入し、さらに、図５（ｂ）に示すように、頭部５１が第一開口部４１１と係合するまで、かしめピン５を押し込む。これにより、かしめピン５は、各開口部３１１，４１１，４１２に亘って挿通される。
【００２６】
この状態で、例えば、蓋ケース３を持ち上げて基板ケース１を開放しようとする外力を加えると、第一開口部４１１の上面と頭部５１が当接し、凸部３１の底面３１ａと胴部５４先端側が当接し、さらに、第二開口部４１２の上面と胴部５４後端側が当接することで、かしめピン５が基板ケース１の開放を妨げるように作用する。すなわち、かしめピン５が閂（かんぬき）として動作し、蓋ケース３と本体ケース４とを封止する。
【００２７】
さらに、各開口部３１１，４１１，４１２は、第一開口部４１１と第二開口部４１２が開口部３１１を挟むように配置されているため、かしめピン５による封止力が以下のように増大する。
かしめピン５は、基板ケース１を開放しようとする外力に対して、第一開口部４１１と第二開口部４１２に両端支持された状態で、これらの間に位置する開口部３１１（例えば、底面３１ａ）から力を受けることになる。その結果、片端支持の場合のように、片端のみに外力が加わることがなく、かしめピン５全体に均等な力が加わるため、外力に対する耐性が格段に向上する。これにより、かしめピン５による封止力を増大させることができる。
【００２８】
さらに、この押し込められた状態にあるかしめピン５は、これらの各開口部３１１，４１１，４１２から脱抜不能に係止されている。
具体的には、係止部３１ｂは各開口部３１１，４１１，４１２と比べて狭く形成されており、爪部５２は、押し込みに際して、この係止部３１ｂを弾性変形しながら通過し、係止部３１ｂを越えると、復元するようになっている。その結果、係止部３１ｂは爪部５２の端部と頭部５１との間に挟まれることになる。言い換えると、首部５３が係止部３１ｂに係止されてかしめピン５が脱抜不能となる。
この状態において、凹部４１は蓋かしめ部３０によって外部と遮蔽されているため、爪部５２を外部から操作できないようになっている。
そして、本実施形態の基板ケース１は、上述したような構成からなるかしめ構造を四つ備え、図６に示すように、内側に配置されたかしめ構造を再封止用の予備とし、両端に配置されたかしめ構造にかしめピン５を挿入し、蓋ケース３と本体ケース４とを開封不能に封止した状態で、筐体１００ｂに取り付けられて、メーカーから出荷される。
【００２９】
さらに、基板ケース１は、図６〜図８に示すように、蓋ケース３と蓋かしめ部３０との接合部を覆うカバー６を備えている。
図７に示すように、蓋かしめ部３０は、蓋ケース３に接合部３２ａ，３２ｂを介して、蓋ケース３と一体に形成されている。
接合部３２ａ，３２ｂは、ニッパーなどの切断工具で切断可能な梁状に形成され、この接合部３２ａ，３２ｂを切断すると、蓋かしめ部３０が第二開口部４１２側にスライド可能となり、第一開口部４１１とかしめピン５（頭部５１）との係合が解除され、蓋ケース３と本体ケース４とを開封できるようになる（後述）。
そこで、この接合部３２ａ，３２ｂを覆うカバー６を設け、接合部３２ａ，３２ｂを容易に切断できないようにしてある。以下、カバー６の構成について、図６〜図８を参照して説明する。
【００３０】
カバー６は、カバー部材の一例であり、透明な工業用樹脂材（例えば、ポリカーボネート）で形成され、接合部３２ａ，３２ｂを視認可能、かつ、切断不能に保護するように構成されている。
具体的には、カバー６は、図８に示すように、略コの字状に形成され、接合部３２ａ，３２ｂを覆う上面６ａと、蓋かしめ部３０側面を覆う側面６ｂとから構成され、二つの蓋かしめ部３０を一体的に覆うように構成されている（図６参照）。
上面６ａには、蓋かしめ部３０に形成されたネジ穴３３と連通するネジ穴６１と、窓部６３と、脆弱部６４が形成されている。
【００３１】
ネジ穴６１は、カバー６を蓋かしめ部３０に装着することにより、ネジ穴３３と連通し、図７に示すように、本体ケース４側からネジ７を螺入させることで、カバー６が蓋ケース３に螺着される。
このように、ネジ７の螺入方向を本体ケース４側からとすることで、図６に示すように、蓋ケース３と本体ケース４とを封止した状態では、ネジ７の操作が本体かしめ部４０によって妨げられ、カバー６が蓋ケース３から脱離できないようになっている。
【００３２】
窓部６３は、各蓋かしめ部３０の接合部３２ａ，３２ｂに対応した位置に各々独立して二箇所設けられ、図８に示すように、肉薄に凹設された肉薄部６３ａで区画された領域である。これにより、各蓋かしめ部３０の接合部３２ａ，３２ｂを切断不能に覆うことができる。
この各窓部６３天面側には、把手６３ｂが設けられ、これをつまんで上方に持ち上げることで、肉薄部６３ａを破断させ、各窓部６３をそれぞれ独立して開口させることができる（図９（ａ），（ｂ）参照）。これにより、接合部３２ａ，３２ｂを切断可能に外部に露出させるとともに、破断の痕跡を明確に残すことができる。
脆弱部６４は、細い格子状に形成された、蓋ケース３の切欠部３ａに嵌合して脱離不能に接着される部分であり、カバー６を蓋ケース３から取り外そうとすると、この格子状の部分が破壊され、一部が蓋ケース３側に残存するようになっている。これにより、基板ケース１を開封しようとして、カバー６を外した痕跡を残すことができる。
また、側面６ｂには、蓋かしめ部３０側面に形成された爪部３４と係合する係合穴６５と、本体かしめ部４０に形成される挿入口４２（図２参照）に挿入される突出部６２が形成されている。
このように、カバー６を備えることで、接合部３２ａ，３２ｂを露出させるには、窓部６３の破壊を伴うため、その痕跡を明確に残すことができ、主基板２に対する不正改造を抑止することができる。
また、窓部６３を、二つの蓋かしめ部３０の接合部３２ａ，３２ｂに対応した位置に各々独立に設けることで、二つの蓋かしめ部３０にかしめピン５を挿入して封止しない限り、いずれか一方の窓部６３を再封止のために残しておくことができる。
【００３３】
次に、開封不能に封止され、接合部３２ａが切断不能に覆われた基板ケース１を開封する動作について、図９と図１０を参照して説明する。
まず、図９（ａ）に示すように、かしめピン５が挿入されて封止された側の蓋かしめ部３０（図中右側）に対応する把手６３ｂをａ方向に操作し、肉薄部６３ａを破断させ、窓部６３を開口させる。その結果、図９（ｂ）に示すように、接合部３２ａ，３２ｂが外部に露出されるとともに、窓部６３が修復不能となり、開封の痕跡を残すことができる。この場合において、かしめピン５が挿入されていない側の蓋かしめ部３０に対応する窓部６３（図９中左側）は、破断操作が不要であるため、再封止後の開封まで、その形態をそのまま残しておくことができる。
そして、図９（ｃ）に示すように、ニッパー等の切断工具を用いて、接合部３２ａ，３２ｂ及び、上面６ａと側面６ｂとのつなぎ目６６ａ，６６ｂ，６６ｃを切断する。
【００３４】
つなぎ目６６ａ，６６ｂ，６６ｃの切断により、爪部３４と係合穴６５との係合は解除され、カバー６は、蓋かしめ部３０から解放された状態となる。
また、接合部３２ａ，３２ｂの切断により、蓋かしめ部３０は、蓋ケース３から分断されるため、これに伴い、蓋ケース３は、蓋かしめ部３０のみならず、本体ケース４との係わりもなくなる。
これにより、図１０（ｂ）に示すように、蓋ケース３を開放させることができる。
【００３５】
また、分断された蓋かしめ部３０を、図１０（ａ）に示すように、ｂ方向にスライドさせることで、蓋かしめ部３０と本体かしめ部４０とを以下のように分離することができる。
凹部４１には、第一開口部４１１に挿入された頭部５１を脱抜可能なスペース４１ａが設けられ、同図に示すように、蓋かしめ部３０を第二開口部４１２側にスライドさせることで、第一開口部４１１とかしめピン５（頭部５１）との係合が解除されるようになっている。
【００３６】
一方、第二開口部４１２は未だかしめピン５の胴部５４と係合しているものの、蓋ケース３を開放させた状態では、図１０（ｂ）に示すように、分断された蓋かしめ部３０をｃ方向に操作可能であるため、蓋かしめ部３０を係止したかしめピン５ごと凹部４１から取り出すことができ、蓋かしめ部３０と本体かしめ部４０を分離することができる。
【００３７】
そして、このように分離された蓋かしめ部３０から、かしめピン５を以下のように簡単に取り外すことができる。
具体的には、取り出した蓋かしめ部３０において、ニッパー等の切断工具を用いて、底面３１ａなどを切断して、首部５３に係止した係止部３１ｂを切除するか、又は爪部５２に外力を加えて弾性変形させ、係止部３１ｂから脱抜することで、かしめピン５を切断・破壊することなく、蓋かしめ部３０から簡単に取り外すことができる。
このかしめピン５は、内側に位置する予備のかしめ構造に再利用でき、基板ケース１を再封止することができる。
【００３８】
以上説明したように、本実施形態に係る基板ケース１と基板ケース１の封止方法及び基板ケースを備えた遊技機によれば、基板ケース１をかしめて開封不能にするときの封止力を増大させるとともに、封止に用いるかしめピン５を再利用させることで、かしめピン５の偽造を防止できる。
【００３９】
以上、本発明の遊技機用の基板ケースと基板ケースの封止方法及び基板ケースを備えた遊技機について、好ましい実施形態を示して説明したが、本発明に係る基板ケースと基板ケースの封止方法及び基板ケースを備える遊技機は、上述した実施形態にのみ限定されるものではなく、本発明の範囲で種々の変更実施が可能であることはいうまでもない。
【００４０】
例えば、本実施形態では、基板ケース１に収容するプリント基板を主基板としたが、スピーカやランプ等を制御する演出用の基板であるサブ基板や、その他の基板を収容することもできる。
また、凹部４１内面をコの字状の金属板（例えば、ステンレス板）で覆うこともできる。これにより、ドリル等の穿孔工具を用いて、凹部４１底面を開口するとともに、爪部５２を操作して、かしめピン５を脱抜する行為を排除できる。
【００４１】
また、本実施形態では、プリント基板（主基板２）を蓋ケース３に固定したが、本体ケース４に固定することもできる。
また、本実施形態では、本体ケース４側の開口部４１１，４１２が、蓋ケース３側の開口部３１１を挟むように配置したが、逆に、蓋ケース３側に複数の開口部を設け、これらが本体ケース４側の開口部を挟むように配置することもできる。
また、挟む側と挟まれる側の開口部の数は限定されず、幾つでもよく、一方のケース側の開口部が他方のケース側の開口部を挟むように配置されれば足りる。
【産業上の利用可能性】
【００４２】
本発明は、遊技機に取付けられる遊技機用基板ケースに広く利用することができる。
【符号の説明】
【００４３】
１  基板ケース
２  主基板
３  蓋ケース
３０  蓋かしめ部
３１  凸部
３１ａ  底面
３１ｂ  係止部
３１１  開口部
４  本体ケース
４０  本体かしめ部
４１  凹部
４１１  第一開口部
４１２  第二開口部
５  かしめピン
６  カバー
７  ネジ
１００  スロットマシン
【図１】
0005640197.tif 000002
【図２】
0005640197.tif 000003
【図３】
0005640197.tif 000004
【図４】
0005640197.tif 000005
【図５】
0005640197.tif 000006
【図６】
0005640197.tif 000007
【図７】
0005640197.tif 000008
【図８】
0005640197.tif 000009
【図９】
0005640197.tif 000010
【図１０】
0005640197.tif 000011